(57)【要約】      （修正有）【課題】できるだけ薄く、かつ尿滴の保水性能を高めた小便器用床マットを提供する。【解決手段】上から吸水層１、止水層２、吸着層３の３層を有する小便器用床マットである。吸水層は厚みが０．５〜２．０ｍｍであり、目付１００ｇ/ｍ２〜２００ｇ/ｍ２のポリエステル不織布からなる。止水層はポリウレタン遮水シートである。吸着層は床面に付着性を示すものである。好ましくは、吸水層のポリエステル不織布がポリエステルのスパンボンド不織布又はポリエステルのホットメルト不織布シートである。【選択図】図３
0003229047.tif 000002
【実用新案登録請求の範囲】
【請求項１】
上から吸水層（１）、止水層（２）、吸着層（３）の３層を有する小便器用床マット（Ｍ）であって、
前記吸水層（１）は１００ｇ/ｍ２〜２００ｇ/ｍ２のポリエステル不織布からなり、
前記止水層（２）はポリウレタン遮水シートであり、
前記吸着層（３）は床面に付着性を示すものである
ことを特徴とする小便器用床マット。
【請求項２】
前記吸水層（１）の前記ポリエステル不織布がポリエステルのスパンボンド不織布又はポリエステルのホットメルトシートである請求項１記載の小便器用床マット。
【請求項３】
前記吸水層（１）の厚みが０．５〜２．０ｍｍである請求項１または２記載の小便器用床マット。
【請求項４】
前記止水層（２）が厚さ５〜５０μmのフィルム状ポリウレタン遮水シートである請求項１〜３のいずれかに記載の小便器用床マット。
【請求項５】
前記小便器用床マット（Ｍ）のＪＩＳ  Ｌ１０９２「繊維製品の防水試験方法」に基づく耐水性能が３００〜１２０００ｍｍである請求項１〜４のいずれかに記載の小便器用床マット。
【考案の詳細な説明】
【技術分野】
【０００１】
本発明は、男子用小便器の前部床面が尿滴によって汚染されるのを防ぐ使い捨てタイプの床マットに関する。
【背景技術】
【０００２】
男子用小便器の前部床面（特に、使用者の足元や足元後方）は、多くの場合、使用者の残尿漏れや便器からの跳ね返りによる尿滴で汚されている。さらに飛び散った尿滴を使用者が踏んで歩くことにより、汚染範囲を広げている。
【０００３】
尿滴による床面汚染は、とりわけ、不特定多数の人が利用する交通機関の駅トイレ、公衆便所、ビル内トイレで顕著である。
【０００４】
尿滴は悪臭を放ち、多くのトイレ利用者にとって不快であるだけでなく、不潔、不衛生であり、また著しく美観を損なう。尿滴汚染を長期間放置すると、細菌類の繁殖により、さらに不快・不潔感が増すことになる。そのため清掃も頻繁に行わねばならず、多くの時間と費用がかかっている。清掃は、清掃業者のほかにビルに入居する会社の社員が行うこともある。
【０００５】
そのような清掃者の作業の肉体的精神的負担を軽減するとともに衛生を保つ観点から、トイレ用の防汚用シートは使い捨てタイプが採用される傾向が強くなっている。そのような従来例として下記するような特許文献が知られている。
【先行技術文献】
【特許文献】
【０００６】
【特許文献１】特開２００５-２３７８２４
【特許文献２】特開２００８-１６１４７３
【特許文献３】特開２００９-１８９４１７
【特許文献４】実用新案登録第３０４９２２３号
【特許文献５】実用新案登録第３１５０７２５号
【特許文献６】実用新案登録第３１９７９４５号
【特許文献７】実用新案登録第３２２５１５３号
【考案の概要】
【考案が解決しようとする課題】
【０００７】
本考案は、素材および製法を改善することにより、できるだけ薄く、かつ尿滴の保水性能を高めた小便器用床マットを提供することを目的とする。
【課題を解決するための手段】
【０００８】
本考案は、上から吸水層、止水層、吸着層の３層を有し、前記吸水層は１００ｇ/ｍ２〜２００ｇ/ｍ２のポリエステル不織布からなり、前記止水層はポリウレタン遮水シートであり、吸着層は付着性を有するものであることを特徴とする。
【０００９】
好ましくは、前記吸水層の前記ポリエステル不織布がポリエステルのスパンボンド不織布又はポリエステルのホットメルト不織布シートである。この吸水層の厚さは０．５〜２．０ｍｍである。
【００１０】
好ましくは、止水層は厚さ５〜５０μmのフィルム状ポリウレタン遮水シートである。
【００１１】
本考案のマットの耐水機能は、ＪＩＳ  Ｌ１０９２「繊維製品の防水試験方法」に基づいて、少なくとも３００ｍｍあることが必要であり、好ましくは３００〜１２０００ｍｍ、より好ましくは５００〜１００００ｍｍである。
【考案の効果】
【００１２】
本考案によれば、非常に薄いが、尿滴の保水性能に優れた小便器用床マットが得られる。
【図面の簡単な説明】
【００１３】
【図１】本考案の１実施例に係る小便器用床マットを使用している状態の斜視図である。
【図２】同マットの（ａ）平面図、（ｂ）正面図である。
【図３】同マットの矢示部分の断面図である。
【考案を実施するための形態】
【００１４】
以下、添付の図面に基づき、本考案の１実施例を説明する。
【実施例１】
【００１５】
図１に示すように、この小便器用床マットＭはトイレの小便器Ｕの下部および前部にかけて敷かれる。小便器Ｕは、最下部まで床についているタイプと、下部が床から浮き上がるようにトイレ壁に取り付けられているタイプがある。図１は後者のタイプである。前者のタイプに対しては、図示しないが、小便器に当たる部分を隙間が出ないように半円型又は円弧型に切り抜いておくことが好ましい。
【００１６】
なお、大便器と小便器を区別せず、洋式便器１つで済ませることもあるが、この場合ももちろん本考案の使用対象としての「小便器」とみなして扱う。
【００１７】
図１に例示の小便器用床マットＭは６０ｃｍ×６０ｃｍ（平均的なサイズの小便器用床マット）の正方形である。使用を意図する小便器やトイレの大きさに合わせて、あらかじめ長さを決定しておくことにより最適の長さのものを選択することができる。
【００１８】
この小便器用床マットＭは、図３に示すように、最下層の剥離シート４を除けば３層からなる。上から、吸水層１、止水層２、吸着層３である。
【００１９】
吸水層１は、水分を素早く吸収するとともに層中に拡散させる役割を果たす。止水層２は、水分を床に透過させないことにより、床への汚染を防止する役割を果たす。吸着層３は、床に貼り付いてずれ動かない粘着性を有する。
【００２０】
吸水層１と止水層２の最適な材料を求めて本考案者は実験を繰り返した。下記の表１が実験結果を表にしたものである。表中、「条件Ｍ」というのは、６０ｘ６０ｃｍのマットに２００ｍｌの水分が吸水、保水できることである。これを満たすことができれば必要にして十分な性能ということができる。
【００２１】
表１からわかるように、最も好ましいのは、吸水層１がポリエステルのスパンボンド不織布やポリエステルのホットメルト不織布シートを使用することである。吸水層１の目付量は８０ｇ/ｍ２〜２５０ｇ/ｍ２、好ましくは１００ｇ/ｍ２〜２００ｇ/ｍ２、最も好ましくは１５０ｇ/ｍ２〜１８０ｇ/ｍ２のポリエステル不織布であることである。吸水層１の厚さは０．５〜２．０ｍｍであることが好ましい。
【００２２】
ホットメルト不織布シートの場合、この中にホットメルト剤を１０〜４０重量％、好ましくは２０〜３０重量％含有させることが好ましい。ホットメルト剤としては例えば、オレフィン系ホットメルト剤、ウレタン系ホットメルト剤、スチレン系ホットメルト剤、ポリアミド系ホットメルト剤、ポリエステル系ホットメルト剤及びこれらの混合物等を挙げることができる。
【００２３】
止水層２としては、厚さ５〜５０μmのフィルム状ポリウレタン遮水シートが好ましい。
【００２４】
表１において条件Ｍにおいて最良と判断された試料Ｇ，Ｈは保水率がそれぞれ２１２％、２２１％であった。なお、保水率の試験方法はＪＩＳ  Ｌ  １９１３の「一般不織布試験方法」によった。
【００２５】
吸着層３を構成する粘着剤層としては、使用時にずれて動かない程度の粘着性が要求される一方で、剥がすときには痕を残さず剥がせることが要求される。このような条件を満足する限り、公知のどのような粘着剤であってもよい。好ましいのは、感圧性のアクリル系やポリウレタン系の粘着剤又は接着剤である。発泡剤を含んだものでもよい。吸着層３の厚さは５〜５０μｍ程度である。
【００２６】
剥離シート４についても吸着層３を保護できるものであれば特に制約はないが、特にＰＥＴ（ポリエチレンテレフタレート）が好ましい。
【００２７】
これらの試料は、外観や使用感も満足すべきものであった。また、実際にトイレの小便器用床マットとして使用したとき、３か月は取り換えなしで使用可能であることが分かった。
【表１】
0003229047.tif 000003
（注）表中の略語・略記号の意味は次のとおりである。
★★★        優
★★          良
★            可
ＮＧ          不可
【００２８】
上記表において「止水性能」とは、吸水層１、止水層２、吸着層３からなる床マットＭ全体の止水性能をいい、ＪＩＳ  Ｌ４２１２「繊維防水シーツ」の耐水機能を基準とした。その測定方法はＪＩＳ  Ｌ１０９２「繊維製品の防水試験方法」（低水圧法）によった。「★★★」と評価されたサンプルは１００００ｍｍ以上の値を示した。床マットの耐水性能としては少なくとも３００ｍｍ以上あることが好ましいので、本サンプルは十分すぎるほど十分な性能を有する。
【符号の説明】
【００２９】
１     吸水層
２     止水層
３     吸着層
４     剥離層
Ｍ     床マット
Ｕ     小便器
【図１】
0003229047.tif 000004
【図２】
0003229047.tif 000005
【図３】
0003229047.tif 000006